(57)【要約】【課題】従来必要であった水栓固定金具が不要で、水栓固定金具が浴室壁に取り付けられる手間がかからない浴室壁の配管挿通構造および配管挿通部材を提供する。【解決手段】浴室壁１に形成された挿通孔１１に配管挿通部材３が取り付けられ、浴室壁１の壁裏側に配設される配管２が挿通孔１１を介して浴室内１３に引き込まれる。配管挿通部材３は、挿通孔１１に連通する挿通開口４０を内部に有し浴室壁１の挿通孔１１の周縁部に固定される固定フランジ部４と、固定フランジ部４の挿通開口４０の周縁部から浴室内１３側に連接され配管２の出口５１が形成される覆い部５とを備える。出口５１の開口方向５２は固定フランジ部４が固定された浴室壁１と略平行となる。【選択図】        図１
2012197573.tif 000002
【特許請求の範囲】
【請求項１】
浴室壁に形成された挿通孔に配管挿通部材が取り付けられ、前記浴室壁の壁裏側に配設される配管が前記挿通孔を介して浴室内に引き込まれるための浴室壁の配管挿通構造であって、前記配管挿通部材は、前記挿通孔に連通する挿通開口を内部に有し前記浴室壁の前記挿通孔の周縁部に固定される固定フランジ部と、前記固定フランジ部の前記挿通開口の周縁部から浴室内側に連接され前記配管の出口が形成される覆い部とを備え、前記出口の開口方向は前記固定フランジ部が固定された前記浴室壁と略平行となることを特徴とする浴室壁の配管挿通構造。
【請求項２】
前記配管は、合成樹脂で形成されることを特徴とする請求項１記載の浴室壁の配管挿通構造。
【請求項３】
浴室壁に形成された挿通孔に取り付けられ、前記浴室壁の壁裏側に配設される配管が前記挿通孔を介して浴室内に引き込まれるための配管挿通部材であって、前記挿通孔に連通する挿通開口を内部に有し前記浴室壁の前記挿通孔の周縁部に固定される固定フランジ部と、前記固定フランジ部の前記挿通開口の周縁部から浴室内側に連接され前記配管の出口が形成される覆い部とを備え、前記出口の開口方向は前記固定フランジ部と略平行となることを特徴とする配管挿通部材。
【請求項４】
前記出口の径は、挿通される前記配管の径と略同じであることを特徴とする請求項３記載の配管挿通部材。
【発明の詳細な説明】
【技術分野】
【０００１】
本発明は、浴室壁の配管挿通構造および配管挿通部材に関するものである。
【背景技術】
【０００２】
従来より、浴室壁の壁裏側から配管が浴室内に引き込まれ、浴室内の水栓装置に接続されるのであるが、浴室の壁裏のスペース、すなわち浴室壁と躯体の壁との間は狭いため、図４に示されるように、水栓固定金具９が取り付けられている。水栓固定金具９は、エルボ状の管部材で、浴室壁１に形成された孔１０にその一端側が取り付けられ、他端側が浴室壁１と略平行になる。そして、この水栓固定金具９の他端側に、浴室壁１に沿って這わされた配管２が接続されるものである。これにより、浴室壁１と躯体の壁との間の狭いスペースを這うように配設された配管２が、浴室内に引き込まれる際に、浴室壁１に形成された孔１０の部分で略直角に折曲されるのが回避され、配管２が急激に折曲されることによる損傷や耐久性の低下が防止される。
【先行技術文献】
【特許文献】
【０００３】
【特許文献１】特開２００２−１１５２９０号公報
【発明の概要】
【発明が解決しようとする課題】
【０００４】
しかしながら、図４に示される従来例にあっては、水栓固定金具９が必要であるとともに水栓固定金具９が浴室壁１に取り付けられる手間がかかるものであった。
【０００５】
本発明は上記従来の問題点に鑑みて発明したものであって、その目的とするところは、従来必要であった水栓固定金具が不要で水栓固定金具が浴室壁に取り付けられる手間がかからない浴室壁の配管挿通構造および配管挿通部材を提供することを課題とするものである。
【課題を解決するための手段】
【０００６】
上記課題を解決するために、本発明の浴室壁の配管挿通構造は、以下のような構成とする。
【０００７】
浴室壁に形成された挿通孔に配管挿通部材が取り付けられ、前記浴室壁の壁裏側に配設される配管が前記挿通孔を介して浴室内に引き込まれるための浴室壁の配管挿通構造であって、前記配管挿通部材は、前記挿通孔に連通する挿通開口を内部に有し前記浴室壁の前記挿通孔の周縁部に固定される固定フランジ部と、前記固定フランジ部の前記挿通開口の周縁部から浴室内側に連接され前記配管の出口が形成される覆い部とを備え、前記出口の開口方向は前記固定フランジ部が固定された前記浴室壁と略平行となることを特徴とするものである。
【０００８】
また、前記配管は、合成樹脂で形成されることが好ましいものである。
【０００９】
また本発明の配管挿通部材は、以下のような構成とする。
【００１０】
浴室壁に形成された挿通孔に取り付けられ、前記浴室壁の壁裏側に配設される配管が前記挿通孔を介して浴室内に引き込まれるための配管挿通部材であって、前記挿通孔に連通する挿通開口を内部に有し前記浴室壁の前記挿通孔の周縁部に固定される固定フランジ部と、前記固定フランジ部の前記挿通開口の周縁部から浴室内側に連接され前記配管の出口が形成される覆い部とを備え、前記出口の開口方向は前記固定フランジ部と略平行となることを特徴とするものである。
【００１１】
また、前記出口の径は、挿通される前記配管の径と略同じであることが好ましいものである。
【発明の効果】
【００１２】
本発明にあっては、従来必要であった水栓固定金具が不要で、水栓固定金具が浴室壁に取り付けられる手間がかからない。
【図面の簡単な説明】
【００１３】
【図１】本発明の一実施形態において水栓装置を取り外した状態の要部断面図である。
【図２】同上の配管挿通部材の正面図である。
【図３】同上において水栓装置を取り外した状態の要部断面図である。
【図４】従来例の要部断面図である。
【発明を実施するための形態】
【００１４】
以下、本発明の一実施形態について添付図面に基いて説明する。
【００１５】
本実施形態では、建物の躯体の壁で囲まれたスペースに、床パンと壁パネルと天井パネルとからなる浴室ユニットが設置され、壁パネルが浴室壁となるものであるが、特にこれに限定されないものである。
【００１６】
図１に示されるように、浴室壁１には挿通孔１１が形成され、浴室壁１の壁裏側（浴室外１２側）に配設される配管２がこの挿通孔１１を介して浴室内１３に引き込まれる。配管２は可撓性を有するもので、本実施形態では合成樹脂で形成されることで容易に可撓性を有することとなるが、材質は特に限定されない。
【００１７】
挿通孔１１の径は、配管２の径と同等以上であることは勿論であるが、２倍以上であることが好ましいものであり、本実施形態では略３倍である。そして、挿通孔１１には配管挿通部材３が取り付けられる。
【００１８】
配管挿通部材３は、図２に示されるように、固定フランジ部４と覆い部５とで構成される。固定フランジ部４は、挿通孔１１に連通する挿通開口４０を内部に有し、浴室壁１の挿通孔１１の周縁部に固定されるものである。固定フランジ部４は、内フランジ４１と筒状固定部４２（図１、図３参照）とで構成される。
【００１９】
内フランジ４１は、浴室壁１の挿通孔１１の周縁部の浴室内１３側の面に当接する略円形の外郭をした板状部材で、内側の中央部に略円形の挿通開口４０が形成されている。挿通開口４０の径も挿通孔１１と同様に、配管２の径と同等以上であることは勿論であるが、２倍以上であることが好ましいものであり、本実施形態では略３倍である。内フランジ４１には、ビス等の固着具が挿通される固着孔４４が形成されている。
【００２０】
そして、挿通開口４０の端縁から筒状固定部４２が連設される。筒状固定部４２は、内フランジ４１板の挿通開口４０の端縁から浴室外１２側に向けて連設される筒状をしたもので、その先端部には、浴室壁１の挿通孔１１の周縁部の浴室外１２側の面に当接する外フランジ４３が形成されている。このように、筒状固定部４２と外フランジ４３とで挿通孔１１が覆われ、浴室壁１の挿通孔１１の周縁部が損傷するのが防止される。
【００２１】
覆い部５は、固定フランジ部４の挿通開口４０の周縁部から浴室内１３側に連接され、配管２の出口５１が形成されるものである。出口５１の開口方向５２は、固定フランジ部４が固定された浴室壁１と略平行に（すなわち固定フランジ部４の内フランジ４１と略平行に）なるように形成される。また、出口５１の径は、配管２の径と略同じに形成される。
【００２２】
配管挿通部材３は変形性（弾性）を有するもので、本実施形態では合成樹脂で形成されるが、材質は特に限定されない。特に本実施形態では、覆い部５と固定フランジ部４の比較において、覆い部５は軟質の材料（軟質樹脂）、固定フランジ部４は硬質の材料（硬質樹脂）で形成される。また、固定フランジ部４は、内フランジ４１と筒状固定部４２の比較において、筒状固定部４２は内フランジ４１よりも軟質の材料で形成される。
【００２３】
この配管挿通部材３は、筒状固定部４２が変形されて浴室壁１の挿通孔１１に挿通され、開口方向５２が上方を向く状態で、固定フランジ部４が浴室壁１の挿通孔１１の周縁部に固定される。そして、浴室壁１の浴室外１２側の面に沿って下方から上方に向けて這うように配設されている配管２が、挿通孔１１および挿通開口４０を介して浴室内１３側に引き込まれ、図３に示されるように、配管２の先端開口に水栓装置６が接続される。水栓装置６は、本実施形態ではビスからなる固着具６１により浴室壁１に固定される。また、水栓装置６と浴室壁１との間を覆う配管カバー７が装着され、浴室内１３の水が挿通孔１１および挿通開口４０を介して壁裏側へ侵入するのが防止される。
【００２４】
上記のような浴室壁１の配管２の挿通構造にあっては、従来必要であった水栓固定金具９が不要であるとともに、水栓固定金具９が浴室壁１に取り付けられる手間がかからないものである。
【００２５】
また、挿通孔１１および挿通開口４０の径が配管２の径の２倍以上となることで、浴室壁１に沿う配管２が挿通孔１１および挿通開口４０を介して引き込まれる際に折曲される曲率半径Ｒが大きくなり、配管２が急激に折曲されることによる損傷や耐久性の低下が防止される。
【００２６】
また、出口５１の径が配管２の径と略同じに形成されることで、水が配管挿通部材３内に浸入するのがより確実に防止される。なお、覆い部５は弾性を有しているため、出口５１の径が配管２の径よりも小さく形成されてもよく、この場合、配管２に出口５１が密着して防水効果がより高まる。
【符号の説明】
【００２７】
１    浴室壁
１１  挿通孔
１２  浴室外
１３  浴室内
２    配管
３    配管挿通部材
４    固定フランジ部
４０  挿通開口
４１  内フランジ
４２  筒状固定部
４３  外フランジ
５    覆い部
５１  出口
５２  開口方向
６    水栓装置
６１  固着具
７    配管カバー
【図１】
2012197573.tif 000003
【図２】
2012197573.tif 000004
【図３】
2012197573.tif 000005
【図４】
2012197573.tif 000006